(57)【特許請求の範囲】
【請求項１】
箱型フレームの一辺に回転軸部を設け、該回転軸部に開閉自在にカバーを係止し、前記フレーム内にスイッチを取付けるとともに前記カバーが上蓋となって前記スイッチの誤操作を防止するガードバリアにおいて、前記フレームの前記回転軸部近傍に一対の規制舌片を形成するとともに該規制舌片に一辺が当接して上蓋開閉角度が略９０度にて規制される第１のカバーと、前記一対の規制舌片間にカバーの反転復帰手段を配設するとともに前記規制舌片との当接を回避した第２のカバーとを予め設け、用途に応じ前記第１のカバーと前記第２のカバーを選択可能とし、前記カバーの開閉形態に拘わらず前記フレームを共通化し、前記第１のカバーに前記規制舌片に対応した凹所を設けるとともに前記第２のカバーに前記規制舌片に対応した欠所を設け、前記第１のカバーは規制角度以上に開口する状態で前記規制舌片の頭部に前記凹所の端部が当接し、前記第２のカバーは開口時に前記規制舌片が前記欠所にガイドされることを特徴とするガードバリア。
【発明の詳細な説明】
【０００１】
【発明の属する技術分野】
本発明は、電気・電子機器類に使用される操作用スイッチに取付けられるガードバリアに関する。
【０００２】
【従来の技術】
図７はカバーの開口角度が約９０度に規制された従来のガードバリアであり、図８はカバーが巻きバネにより反転復帰するタイプの従来のガードバリアの外観図である。
これら従来のガードバリアは用途に応じて作られたものであり、図７のタイプはスイッチの操作頻度が多い場合に用いられ、図８は比較的操作頻度が少なく、しかもカバーの閉め忘れを予防したい場合に使用される。
【０００３】
【発明が解決しようとする課題】
図７及び図８とも同種のスイッチに取り付けられるガードバリアであるが、用途に応じてカバー、フレームとも別々に作る必要があり、相当の設備投資が必要であった。
また、既に取付けられたガードバリアの機能を何らかの理由により一時的に交換したい場合にはフレームごと交換する必要があり、スイッチを取外すために多大な工数を必要とした。
さらに、図７のガードバリアにあってはカバー規制部のストッパ強度や図８のガードバリアにあっては、全開時のカバー強度が充分とは言えず使用上の注意が必要であった。
本発明はこうした問題を解決し、カバーの開閉機能に拘わらずフレームを共通化して設備投資を抑制するとともに、スイッチを交換することなくカバーだけを交換することにより、容易にカバーの開閉機能を置き換えることが可能であり、加えてカバーの開閉強度を向上したガードバリアを提供する目的で発明されたものである。
【０００４】
【課題を解決するための手段】
箱型フレームの一辺に回転軸部を設け、該回転軸部に開閉自在にカバーを係止し、前記フレーム内にスイッチを取付けるとともに前記カバーが上蓋となって前記スイッチの誤操作を防止するガードバリアにおいて、前記フレームの前記回転軸部近傍に一対の規制舌片を形成するとともに該規制舌片に一辺が当接して上蓋開閉角度が略９０度にて規制される第１のカバーと、前記一対の規制舌片間にカバーの反転復帰手段を配設するとともに前記規制舌片との当接を回避した第２のカバーとを予め設け、用途に応じ前記第１のカバーと前記第２のカバーを選択可能とし、前記カバーの開閉形態に拘わらず前記フレームを共通化し、前記第１のカバーに前記規制舌片に対応した凹所を設けるとともに前記第２のカバーに前記規制舌片に対応した欠所を設け、前記第１のカバーは規制角度以上に開口する状態で前記規制舌片の頭部に前記凹所の端部が当接し、前記第２のカバーは開口時に前記規制舌片が前記欠所にガイドされるよう構成する。
【０００５】
【発明の実施の形態】
本発明のガードバリアはカバーの開閉形態に拘わらずフレームを共通化することが可能となるため、設備投資を抑制することができるだけでなく、種々の機能を有したガードバリアを容易に得るとともに堅牢で誤動作防止の信頼度が高いガードバリアを提供することができる。
【０００６】
【実施例】
以下、本実施例について図面を参照しながら詳細に説明する。
図１は本発明のガードバリアの第１実施例を表す分解斜視図であり、図２から図５は後述の各カバーを用いてカバーの開閉機能別に組み立てられたガードバリアの外観図である。
【０００７】
これらの図において、箱型のフレーム１の対向したフランジ部５の一端には軸受部２が形成されるとともにこの軸受部２の近傍に一対の規制舌片３が植設されている。このフレーム１は弾性部材により形成されているので、前記規制舌片３とフランジ部５は僅かに撓むことができるようになっている。
【０００８】
また、上蓋を構成するカバーは本実施例においては予め、第１のカバー７と第２のカバー１２が２種類用意されている。
７は第１のカバーであり、その一辺には一対の軸８と前記フレーム１の規制舌片３に対向して凹所９が設けてある。
図２及び図３はこの第１のカバー７を用いてフレーム１に組み立てられたガードバリアの外観図であり、図２は第１のカバー７が閉じた状態を表し、図３は第１のカバー７が開いた状態を表している。
【０００９】
この第１のカバー７を用いたガードバリアは、第１のカバー７が閉じた状態でフレーム１の規制舌片３が第１のカバー７の側部１１と当接しているので、第１のカバー７が閉じた状態から容易に開いてしまうことを規制している。
また、図２の状態から第１のカバー７を開き、図３の状態に至るまでの間、規制舌片３の弾性変形によって弾発的な開閉操作感を有するように作用する。
さらに第１のカバー７が開かれた状態でも規制舌片３が凹所９に作用し、第１のカバー７を開いた状態に保持している。
【００１０】
図６は上記第１のカバー７を取付けたガードバリアに操作用スイッチを取付けた使用状態を表す正面断面図である。
第１のカバー７を開口した状態で、規制舌片３の頭部４と第１のカバー７の凹所９の端部１０が当接することにより、規制舌片３への倒し込みモーメントを規制舌片３の頭部４からの圧縮応力に変換するように作用するので、従来のガードバリアに比べてカバー開口方向に対して大きな破壊強度を確保することができるという特長を併せ持っている。
【００１１】
１２は第２のカバーであり、その一辺には一対の軸１３と前記フレーム１の規制舌片３に対向して欠所１４が設けてある。
【００１２】
図４はこの第２のカバー１２を用いてフレーム１に組み立てられたガードバリアの外観図であり、第２のカバー１２が閉じた状態を表し、図５は第２のカバー１２の開放状態を維持した状態を表している。
【００１３】
この第２のカバー１２を用いたガードバリアは規制舌片３間の対向空隙部１５に巻きバネ１６が組込まれるとともに、第２のカバー１２とフレーム１間に第２のカバー１２が閉じる方向に巻きバネ１６の反転力が付勢されているので、図５の状態から指を離すことにより第２のカバー１２は自動反転して図４の状態に復帰するよう作用し、カバーの閉じ忘れによるスイッチの誤操作を防止することができる。
【００１４】
また、図５の開口状態において、フレーム１の規制舌片３が第２のカバー１２の欠所１４を貫通した状態に位置するため、従来のガードバリアに比べ、カバー左右の破壊力に対して充分な強度を確保することができるという特長を併せ持っている。
【００１５】
このように、本発明のガードバリアにおいては第１のカバー７と第２のカバー１２を用いた２種類のガードバリアを１種類のフレーム１で共用することができるため、金型等の設備投資を抑制し、しかも部品の種類を削減することができるという特徴を有するだけでなく、それぞれのガードバリアにおいてカバーの開閉強度を向上して堅牢な構造とすることが可能となった。
さらに、フレーム１を共有化することができるので、それぞれの用途に応じカバーだけの交換で一旦取り付けられたガードバリアの機能を容易に置き換えることが可能となり、多用なニーズに適応することができるという効果を併せ持っている。
【００１６】
なお、本実施例では第１のカバー７と第２のカバー１２だけを予め用意したが、開口角度が約９０度の反転復帰型ガードバリアや閉じた状態のカバーとフレーム１間を係止状態にするとともに前記巻きバネ１６の反転力付勢方向を逆転させた自動開口式ガードバリアなど（何れも図示せず）様々な操作形態に対応したガードバリアを構成することが可能であり、本発明はこうした展開事例を排除するものではない。
【００１７】
【発明の効果】
以上、詳細に説明したように、本発明によれば次のような効果を奏することができる。
（１）フレームの軸受部近傍に一対の規制舌片を形成するとともに該規制舌片に一辺が当接して上蓋開閉角度が略９０度にて規制される第１のカバーと、前記一対の規制舌片間にカバーの反転復帰手段を配設するとともに前記規制舌片との当接を回避した第２のカバーとを予め設け、用途に応じ第１のカバーと第２のカバーを選択可能とし、カバーの開閉形態に拘わらずフレームを共通化したので、少ない設備投資でカバーの保持型ガードバリアと反転復帰型ガードバリアを構成することができる。
（２）第２のカバーにおいて、規制舌片に対応した欠所をカバーに設け、開口時に規制舌片がカバーの欠所にガイドされるため横方向の破壊荷重に強いガードバリアを得ることができる。
（３）第１のカバーにおいて、カバーに規制舌片に対応した凹所を設け、カバーを規制角度以上に開口する状態で前記規制舌片の頭部に前記凹所の端部が当接するよう構成したので、カバーのストッパ強度を大幅に向上することができる。
【図面の簡単な説明】
【図１】本発明のガードバリアの実施例を表す分解斜視図である。
【図２】第１のカバーを用いた本発明のガードバリアを表す外観図である。
【図３】第１のカバーを用いた本発明のガードバリアの開口状態を表す外観図である。
【図４】第２のカバーを用いた本発明のガードバリアを表す外観図である。
【図５】第２のカバーを用いた本発明のガードバリアの開口状態を表す外観図である。
【図６】第１のカバーを用いた本発明のガードバリアの使用状態を表す正面断面図である。
【図７】カバー開口角度が約９０度に規制された従来のガードバリアを表す外観図である。
【図８】カバーが巻きバネにより反転復帰する従来のガードバリアを表す外観図である。
【符号の説明】
１、３１、６１  フレーム
２、３２、６２、６８  軸受部
３、３３  規制舌片
４  頭部
５  フランジ部
６、３６、６６  スイッチ取り付け穴
７  第１のカバー
８、１３、３８、  軸
９  凹所
１０  端部
１１  側部
１２  第２のカバー
１４  欠所
１５  対向空隙部
１６、７６  巻きバネ
３７、６７  カバー
７７  ピン
【図１】
0004222535.tif 000002
【図２】
0004222535.tif 000003
【図３】
0004222535.tif 000004
【図４】
0004222535.tif 000005
【図５】
0004222535.tif 000006
【図６】
0004222535.tif 000007
【図７】
0004222535.tif 000008
【図８】
0004222535.tif 000009